(57)【要約】【課題】本発明の目的は受動型液晶パネルにおいてＢＬによって所望の領域を強調表示する手段を提供することで、該強調部分の液晶の光学的コントラスト比を通常表示の時よりもより向上させることである。【解決手段】複数の走査電極と、バックライトとを有する受動型の液晶表示装置に於いて、前記走査電極の内所望の少なくとも１つの走査電極を選択し、該走査電極が走査されるタイミングに同期した同期信号を作成する同期信号作成手段と、複数フレームにわたって前記バックライトを常時点灯させる手段と、複数フレームにわたって前記バックライトを前記同期信号に同期して点灯あるいは消灯させる手段とを備えた。【選択図】        図１
2004309937.tif 000002
【特許請求の範囲】
【請求項１】
画面照明用光源と、複数の走査電極と、少なくとも１つの信号電極とを有し、前記走査電極を所定のタイミングで所定の順に選択することで時分割駆動を行う液晶表示装置において、
前記画面照明用光源は、前記走査電極の少なくとも１つが選択されたタイミングに同期し、かつ、その選択された走査電極により画像表示がされる場合に点灯し、次の選択タイミングの前に消灯することを繰り返すことを特徴とする液晶表示装置。
【請求項２】
前記画面照明用光源の点灯から消灯までに時間は、前記走査電極が選択されている時間よりも短いことを特徴とする請求項１に記載の液晶表示装置。
【請求項３】
前記選択される走査電極は、隣り合う複数の走査電極であることを特徴とする請求項１または請求項２に記載の液晶表示装置。
【請求項４】
前記走査電極と前記信号電極とにより前記画面上に形成される画像は固定画像であることを特徴とする請求項１または２または３に記載の液晶表示装置。
【発明の詳細な説明】
【０００１】
【発明の属する技術分野】
本発明は液晶パネル上の選択した領域を強調表示する機能を備えたマトリックス液晶装置に関する。
【０００２】
【従来の技術】
従来液晶パネルの走査電極を順次走査する受動型液晶装置において、走査電極の走査タイミングである選択タイミングに合わせてバックライトを点灯あるいは消灯させることにより画面の一部を強調表示させるという手法は提案されていなかった。
【０００３】
近似した技術の１つとして、全走査電極を１回走査する周期を与えるフレーム信号に同期させて、フレーム信号のはじめから一定期間バックライト（以下ＢＬ略記する）を点灯状態、フレーム期間の残りの期間ＢＬを消灯状態とさせ、ＢＬが点灯している時間の比率に従って液晶画面の輝度を制御する、または１つの走査電極が選択されている時間毎に、該時間内でＢＬを一定の比率で点灯あるいは消灯させ、該比率によって液晶画面の輝度を制御するという手法は提案されている（例えば「特許文献１」参照）。
【０００４】
しかしこの技術は全画面の輝度を均一に制御するためになされたもので、本願のように液晶パネル上の選択した領域を強調表示する事、すなわち画面の一部を不均一にすることは目的としていない。また「特許文献１」の技術は液晶画面の輝度を制御するという目的を実現するための手段として、フレーム期間もしくは各走査電極が選択される期間の始まりの時点から任意の時間ＢＬを点灯させる手段を有している。一方本願は後述するように、任意の特定の走査電極を選び、該走査電極が選択された時、当該走査電極が走査されている時間のみＢＬを点灯させて当該走査電極部を強調表示するという手段を有している。その結果本願においては、フレーム期間の始まりの時点からではなく、フレーム期間の任意の時点から任意の時点までＢＬを点灯させる手段を有している。このように「特許文献１」の技術と本願とでは目的及び手段を異にしている。
【０００５】
近似した第２の技術として、表示駆動周期に同期させてＢＬを一定の比率で点灯あるいは消灯させ、該比率によって液晶画面の輝度を制御するという手法も提案されている（例えば「特許文献２」参照）。
【０００６】
この技術はＢＬの点灯あるいは消灯の比率に従って画面の輝度を変える手法の基本的なものと思われるが、明細書中の「表示駆動周期」は明細書中の図面等から、走査電極が選択される周期と判断される。そのため特定の走査電極が選択された時当該走査電極が操作されている時間のみＢＬを点灯させて当該走査電極部を強調表示するという手段は開示されておらず、本発明とは目的及び手段を異にする。
【０００７】
近似した第３の技術として、いわゆるフィールドシーケンシャル技術に関するものがある。これは各画素がスイッチング素子を有する能動型液晶装置において赤・緑・青の３原色のＢＬを順次に分割して発光させ、該分割発光のタイミングに合わせて液晶画面上に前記赤・緑・青に対応した表示を行い、人間の目の残像効果を利用してカラー合成を行うものであるが、この様な液晶パネルにおいてＢＬを４ブロックに分割し、該各バックライトブロックの輝度を変えて画面全体の輝度の均一化を図るという提案がある（例えば「特許文献３」参照）。
【０００８】
さらに該「特許文献３」の表３には第３ブロックのＢＬ輝度を他の３つのブロックのＢＬ輝度の２倍程度にし、第３ブロックの表示を強調した旨の記載がある。
【０００９】
しかしながら該技術はＢＬをブロック分けする必要があり、液晶パネル上の任意の部分を強調するためにはＢＬを細かく分割する必要がある。しかしＢＬは導光板の端にＬＥＤを置き、該ＬＥＤの光が導光板中に導かれて液晶パネルを照明しているものであるが、該ＬＥＤの光は該導光板中で散乱されてしまうため、ＢＬを細かくブロック分けすることは実質上不可能である。
また該技術はＢＬをブロック分けしているため、ブロック分けしたＢＬの強調すべき部分以外のブロックを消灯すると、当該ブロックの液晶画面が見えなくなってしまう。したがって強調する以外のブロックのＢＬは消灯することは出来ず相対的な輝度を低くすることが出来るのみである。
さらに能動型液晶パネルは受動型液晶パネル特有の光学特性を持たないため、走査電極の選択されるタイミングと液晶の光学特性との関係がほとんどない。従って特定の走査電極が選択された時のみＢＬを点灯させて当該走査電極部を強調表示するという手段は意味がなく開示もされていない。
【００１０】
【特許文献１】
特開２００２−１４６６２号公報
【特許文献２】
特開平５−１２７６２６号公報
【特許文献３】
特開２０００−１４７４５４号公報
【００１１】
【発明が解決しようとする課題】
本発明の目的は受動型液晶パネルにおいてＢＬの点灯あるいは消灯を制御することによって所望の領域を強調表示する手段を提供することで、該強調部分の液晶の光学的コントラスト比を通常表示の時よりもより向上させている。
【００１２】
【課題を解決するための手段】
上記課題を解決するための本発明の第１の手段は、画面照明用光源と、複数の走査電極と、少なくとも１つの信号電極とを有し、前記走査電極を所定のタイミングで所定の順に選択することで時分割駆動を行う液晶表示装置において、前記画面照明用光源は、前記走査電極の少なくとも１つが選択されたタイミングに同期し、かつ、その選択された走査電極により画像表示がされる場合に点灯し、次の選択タイミングの前に消灯することを繰り返すことを特徴とする。
【００１３】
上記課題を解決するための本発明の第２の手段は、本発明の第１の手段において、前記画面照明用光源の点灯から消灯までに時間は、前記走査電極が選択されている時間よりも短いことを特徴とする。
【００１４】
上記課題を解決するための本発明の第３の手段は、本発明の第１または第２の手段において、前記選択される走査電極は、隣り合う複数の走査電極であることを特徴とする。
【００１５】
上記課題を解決するための本発明の第４の手段は、本発明の第１または第２または第３の手段において、前記走査電極と前記信号電極とにより前記画面上に形成される画像は固定画像であることを特徴とする。
【００１６】
【発明の実施の形態】
本発明による液晶表示装置を図１〜図９を用いて説明する。
【００１７】
【実施例】
図１は本発明の液晶表示装置を説明するブロック図である。
図１において、５０は制御信号発生回路でマトリックス液晶パネル５４に表示するデータであるＤＡＴＡ信号、液晶画面に１画面を表示する周期を示すフレーム信号であるＦＭ信号、マトリックス液晶パネル５４の有する各走査電極が選択されるタイミングを示すＬＴ信号、ＤＡＴＡ信号を読み込むクロック信号であるＣＫ信号を作成し液晶駆動回路５２に送る。液晶駆動回路５２はこれらの信号から図示されていないマトリックス液晶パネル５４の行電極である走査電極、列電極である信号電極を駆動する駆動信号を作成しマトリックス液晶パネル５４に印加する。
マトリックス液晶パネル５４の背面にはバックライト６０が置かれている。
バックライトとしては画面照明用光源手段としての蛍光管あるいは発光ダイオード（ＬＥＤ）あるいはＥＬ（エレクトロルミナッセンス）等の発光素子を用いる。さらに、発光素子と導光板や光拡散板や面方向の表面がプリズムを有する光制御板等を記見合わせて用いる。
【００１８】
また制御信号発生回路５０は同期信号作成回路５６にＦＭ信号、ＬＴ信号を送ると共にマトリックス液晶パネル５４の画面上で強調すべき領域を指示する選択信号ＳＥＬを送る。該選択信号ＳＥＬは強調すべき表示領域がない時はマトリックス液晶パネル５４の全画面の選択を指示する。同期信号作成回路５６は本発明により設けられたもので、ＦＭ，ＬＴ，選択の各信号から所望の少なくとも１つの走査電極を選択し、選択された該走査電極が走査されるタイミングに同期した同期信号であるＳＹＣ信号を作成しバックライト駆動回路５８にＢＬの点灯あるいは消灯を指示する。バックライト駆動回路５８はＳＹＣ信号に従って光源であるＬＥＤの全てを点灯あるいは消灯させる。
このことは、画面を照明する照明用の光源と、液晶パネルに配設された複数の走査電極と、液晶パネルに配設された少なくとも１つの信号電極とを液晶装置は有し、さらに前記走査電極を所定のタイミングで所定の順に選択することで時分割駆動を行う液晶表示装置に、前記走査電極の少なくとも１つが選択されたタイミングに同期し、かつ、その選択された走査電極により画像表示がされる場合に点灯し、次の選択タイミングの前に消灯することを繰り返す前記画面照明用光源を設けたことを特徴としている。
この様に図１の液晶表示装置においては、選択された任意の走査電極が走査されるタイミングに同期した同期信号を、同期信号作成回路５６が作成しており、バックライト駆動回路５８はバックライト６０をブロック毎に分割することなく全面を点灯もしくは消灯させている。
その結果選択された走査電極部の液晶画面は後述する理由により他の部分よりも強調されて表示される。
【００１９】
図２は同期信号作成回路５６が作成する同期信号ＳＹＣを説明するタイミングチャートである。
図２においては簡単のためマトリクス液晶パネル５４の走査電極が８本の例で作図しているが、走査電極は例えば４８０本あっても本発明が有効であることは勿論である。
図２において、フレーム信号ＦＭは走査電極群の走査の始まりを示す信号で、一般に６０ＨＺ程度の周波数となっている。期間ｔ１から期間ｔ８までが１フレーム期間である。ＬＴ信号はＦＭ信号を読み込んで各走査電極が選択されるタイミング信号Ｃ１〜Ｃ８を作る信号で、Ｃ１がＨレベルの期間ｔ１においては１番目の走査電極が、Ｃ２がＨレベルの期間ｔ２においては２番目の走査電極が、以下同様にしてＣ８がＨレベルの期間ｔ８においては８番目の走査電極が選択され、この状態が各フレームで繰り返される。
【００２０】
同期信号であるＳＹＣ信号の第１の例ＳＹＣ１信号は３番目の走査電極が前記選択信号ＳＥＬによって選択された例で、ＳＹＣ１信号はＣ３信号と同様３番目の走査電極が選択される期間ｔ３でＨレベルとなっている。ＳＹＣ１信号がＨレベルの時ＢＬは点灯し、Ｌレベルの時消灯する。
【００２１】
同期信信号であるＳＹＣ信号の第２の例ＳＹＣ２信号は複数の走査電極が選択された例で、４番目と５番目の走査電極が選択されている。ＳＹＣ２信号は４番目と５番目の走査電極が選択される期間である期間ｔ４，ｔ５でＨレベルとなっておりＳＹＣ２号がＨレベルの時ＢＬは点灯し、Ｌレベルの時消灯する。
図２では、４番目と５番目の隣り合う２本の走査電極が選択され、ＳＹＣ２号がＨレベルでＢＬが点灯しする例を示したが、本発明は、図２の例の２本に限らず、３本、４本、５本等の隣り合う複数本の走査電極を対象としても良い。この複数本に関しては、走査電極本数との関係で、強調点灯させる走査電極の位置で適宜決めるのがよい。
さらに、走査電極を１２００本や４８０本や１６０本や６０本と数多くある場合には、複数の隣り合う走査電極を１ブロックとして、バックライトを点灯させ、この１ブロックとは異なる複数の隣り合う走査電極よりなる他のブロックを設定し、この他のブロックでもバックライトを点灯させても良い。この他のブロックは、複数のブロックでも良い。
【００２２】
同期信号であるＳＹＣ信号の第３の例ＳＹＣ３信号は１つの走査電極が選択され、該走査電極が選択されている時間よりも短い時間ＢＬを点灯させる例で、ＳＹＣ３信号は３番目の走査電極が選択される期間ｔ３の後半でＨレベルとなっておりＳＹＣ３信号がＨレベルの時ＢＬは点灯し、Ｌレベルの時消灯する。ここでＳＹＣ３信号は後述する理由で、期間ｔ３の前半ではなく後半でＨレベルになっていることが重要である。
【００２３】
次に図３〜図７を用いて本発明の手法で強調表示が可能な理由を説明する。
【００２４】
図３は受動型マトリックス液晶パネル５４の画素の光透過率を示すグラフで、図３においてはｎ番目の走査電極に属する画素の光透過率変化を示している。
図３においては、液晶に電圧を印加すると黒表示になる液晶を用いていることを前提にしている。
図３のグラフにおいて、ｎ番目の走査電極に属する画素の光透過率はｎ番目の走査電極が選択される期間（以下選択期間と称する）ｔｓの時、すなわちｎ番目の走査電極の選択信号ＣｎがＨレベルになった時最も０％に近づき黒くなる。１フレーム期間中の他の走査電極が選択されている期間ｔｘ（以下非選択時と称する）においては該画素に選択電圧が印加されないため徐々に光透過率が上がっていってしまい次のフレームで走査電極が選択されると再び光透過率が０％のレベルに近づく。この様な状態を繰り返すのが受動型マトリックス液晶パネルの特徴である。
なお期間ｔｓの内の期間ｔｓ１は液晶画素が選択電圧を与えられて立ち上がる時間を示している。この間に選択された走査電極に属する画素において光透過率が最高値から最低値に変化する。
本発明はこの様な受動型マトリックス液晶パネルの選択時と非選択時の光透過率の違いを利用して強調表示を実現するものである。
【００２５】
図４は１番目から８番目の走査電極に属する各画素Ｄ１からＤ８の光透過率の変化を示した図である。
図４に示すように各走査電極に属する各画素は、属する走査電極が選択された時に光透過率が最も低くなり、非選択期間の間に徐々に光透過率が上がっていって漏れ光量が増加する特性を示す。
図４はＢＬが常時点灯している場合を示したもので、各画素Ｄ１〜Ｄ８の光透過率グラフ中の斜線部は漏れ光量を示している。
【００２６】
図５は同期信号の第１の例ＳＹＣ１信号によってＢＬが点灯あるいは消灯制御された場合のグラフである。
ＢＬはＳＹＣ１信号によって期間ｔ３の時のみ点灯するので、他の期間においては全画素で漏れ光量は０％になる。光が漏れるのは期間ｔ３の時のみで、該期間ｔ３で各走査電極に属する画素毎に「黒」表示での漏れ光量が異なる状況が図５に示されている。
図５から明らかなように３番目の走査電極が選択された場合３番目と２番目の走査電極に属する画素Ｄ３，Ｄ２の漏れ光量が最も小さく以下Ｄ１，Ｄ８，Ｄ７，Ｄ６，Ｄ５，Ｄ４の順に漏れ光量が大きくなっている。すなわちＤ３，Ｄ２が最も黒く、以下Ｄ１，Ｄ８，Ｄ７，Ｄ６，Ｄ５，Ｄ４の順に黒が薄くなっていく。従って２番目と３番目の走査電極部の黒が強調表示されることになる。
【００２７】
この様に本発明においてはＢＬの点灯あるいは消灯を制御するのみで強調表示を可能にしている。
なおこの様なＢＬの点灯あるいは消灯状態は１フレーム期間のみでは強調表示にとって有効ではなく、画面認識に必要な複数フレーム連続させることが必要である。
【００２８】
図５は走査電極が８本の場合なので図３の期間ｔｓ１に相当する液晶の立ち上がり時間に対応する漏れ光量が問題となるように読みとれるが、しかし実際には、例えば走査電極が４８０本有るような液晶パネルの場合は、所望の画像を強調するためには少なくとも数十本の連続した走査電極を選択することになるので該液晶の立ち上がり時間に対応する漏れ光量はほとんど問題にならず、選択した部分が最も黒くなる。
【００２９】
なお図５と図４を比較すると明らかなように、強調表示のためにＢＬを選択的に点灯した場合は「黒」部での漏れ光量がＢＬを常時点灯している通常表示の場合よりも圧倒的に少ない。従って強調表示部は通常表示の時に比べコントラスト比が非常に向上しており、このことは本発明を実施した試作品でも確認されている。
【００３０】
図６は同期信号の第３の例ＳＹＣ３によってＢＬが点灯あるいは消灯制御された場合のグラフである。
同期信号の第３の例は走査電極数が比較的少ない場合のためで、ＳＹＣ３信号は期間ｔ３の後半でＨレベルになりこれに応答してＢＬは期間ｔ３の後半のみ点灯している。ＳＹＣ３信号をこのようにしたことにより図３の期間ｔｓ１に相当する液晶の立ち上がり時にはＢＬを消灯し、該立ち上がり時の漏れ光量の影響を除去している。
この様に構成すると図６から明らかなように、３番目の走査電極が選択された場合３番目の走査電極に属する画素Ｄ３の漏れ光量が最も小さく以下Ｄ２，Ｄ１，Ｄ８，Ｄ７，Ｄ６，Ｄ５，Ｄ４の順に漏れ光量が大きくなっている。すなわちＤ３が最も黒く、以下Ｄ２，Ｄ１，Ｄ８，Ｄ７，Ｄ６，Ｄ５，Ｄ４の順に黒が薄くなっていく。従って３番目の走査電極部の黒が強調表示されることになる。
【００３１】
図７は液晶パネル５４の画面上で文字「ＡＢＣＤ」が強調表示されている例を示したもので、横方向に並んだ第２行目の文字列「ＡＢＣＤ」１０２が属する走査電極を選択した場合の表示例である。
図７に示したように本発明によれば第２行目のの文字列「ＡＢＣＤ」１０２が最も黒く表示され、同様に横方向に並んだ第１行目の文字列１００，第４行目の文字列１０６，第３行目の文字列１０４の順に文字「ＡＢＣＤ」の黒が薄く表示される。
走査電極の選択は、図７液晶パネル５４が４８０本の走査電極を有している場合は第２行目の文字列「ＡＢＣＤ」１０２を強調するために１２１〜２４０番目の走査電極を選択し、４８本の走査電極を有している場合は第２行目の文字列「ＡＢＣＤ」１０２を強調するために１３〜２４番目の走査電極を選択すればよい。
【００３２】
なお以上の説明は液晶が電圧を印加すると黒表示になるタイプであることを前提にしていた。従って本発明によって強調表示すると、強調された部分の黒が他の部分よりもより黒く強調されたが、電圧を印可すると白表示になるタイプの液晶にも本発明は適用可能である。この場合通常表示時よりも強調部の白部の輝度は低くなるものの背景が非常に黒くなりかつ強調部以外の白部がより暗くなるためやはり強調表示は可能となる。
【００３３】
次に図２に示した各信号を作成する同期信号作成回路５６とバックライト駆動回路５８の実施例を図８，９を用いて説明する。
【００３４】
図８において、同期信号作成回路５６は８ビットのＤ−ＦＦ１０，２つの電子的ロータリースイッチ１２，１４，２つのＮＯＲゲートからなるセットリセットＦＦ２０からなる。
１０はオクタルデータフリップフロップと呼ばれる例えば７４ＨＣ２７３という型番のＩＣである。該ＩＣ１０のＤ１入力にはＦＭ信号が、ＣＬＫ入力にはＬＴ信号が、ＣＬＲ入力には＋５Ｖが接続され、Ｄ２入力にはＱ１が、Ｄ３入力にはＱ２が、以下同様にして図示の如くＤ８入力にはＱ７が接続されている。このように接続することによりＱ１〜Ｑ８には図２に示したＣ１〜Ｃ８の信号がそれぞれ現れる。１２はセットリセットＦＦ２０のＳＥＴ信号を選択する電子的ロータリースイッチで端子１にはＱ１が、端子２にはＱ２が、以下同様にして端子８にはＱ８が接続されている。また端子９は＋５Ｖに接続されている。各端子に接続された信号のうちどの信号をＳＥＴ信号として選ぶかは選択信号ＳＥＬによって指示される。１４はセットリセットＦＦのＲＥＳＥＴ信号を選択する電子的ロータリースイッチで端子１にはＱ２が、端子２にはＱ３が、以下同様にして端子７にはＱ８が、端子８にはＱ１が接続されている。また端子９はＧＮＤに接続されている。各端子に接続された信号のうちどの信号をＲＥＳＥＴ信号として選ぶかは選択信号ＳＥＬによって指示される。セットリセットＦＦ２０は２個のＮＯＲゲート１６，１８が図示のように接続されて構成されている。ＮＯＲゲート１６の一方の入力に印加されるのが電子的ロータリースイッチ１２の出力であるＳＥＴ信号で、ＮＯＲゲート１８の一方の入力に印加されるのが電子的ロータリースイッチ１４の出力であるＲＥＳＥＴ信号でありＮＯＲゲート１８の出力が同期信号作成回路５６の出力である同期信号ＳＹＣとなっている。
【００３５】
選択信号ＳＥＬにより電子的ロータリースイッチ１２、１４が共に端子３に接続され３番目の走査電極を選択すると、ＳＹＣ信号は図２に示すＳＹＣ１信号となり３番目の走査電極が走査されるタイミングに同期した信号となる。
選択信号ＳＥＬにより電子的ロータリースイッチ１２が端子４に接続され、電子的ロータリースイッチ１４が端子５に接続され連続した４，５番目の走査電極を選択すると、ＳＹＣ信号は図２に示すＳＹＣ２信号となり４番目と５番目の走査電極が走査されるタイミングに同期した信号となる。
選択信号ＳＥＬにより電子的ロータリースイッチ１２、１４が共に端子９に接続され常時点灯を選択すると、ＳＹＣ信号は常時ＨレベルとなりＢＬの常時点灯を指示する信号となる。
【００３６】
バックライト駆動回路５８は２本の抵抗２４，３０とトランジスタ２６とバックライト６０の周辺に配置されるＬＥＤ２８とから成り図示のように接続されている。図から明らかなようにＳＹＣ信号がＨレベルになるとトランジスタ２６が導通してＬＥＤ２８に電流が流れＬＥＤ２８は発光する。従ってＢＬは点灯状態となる。ＳＹＣ信号がＬレベルとなるとトランジスタ２６は非導通状態となりＬＥＤ２８は発光しない。従ってＢＬは消灯状態となる。
【００３７】
図９は図２に示したＳＹＣ３信号を作成する回路を示した図で、図８と異なるのは抵抗３２，キャパシター３４，２個のインバーター３６，３８からなる遅延回路で電子的ロータリースイッチ１２の出力を遅延させてＳＥＴ信号としている点のみである。この様に構成すると図２のＳＹＣ３信号のように１つのの走査電極が選択されている時間よりも短い時間前記バックライトを点灯させる同期信号を作成することが出来る。
ＳＥＴ信号の遅延回路は、例えばＣＫ信号をカウンターでカウントするようなデジタル的な回路にすることも勿論可能である。また遅延時間をどの程度にするかは任意に選択すればよい。このようにすると部品の削減と組立工程の削減というメリットが得られる。
【００３８】
なお図８，９のＱ１〜Ｑ８に相当する信号は液晶駆動回路５２でも作成されるので、これらの信号を液晶駆動回路５２から供給するように構成することも勿論可能である。
【００３９】
この様に本発明によれば選択した走査電極領域、すなわち選択した行領域を他の部分よりも高コントラストで強調表示することが可能である。この本発明の技術に従来から知られているいわゆるフレーム階調技術を併用すれば列領域も併せて強調領域として選択することが出来る。
【００４０】
すなわち図７において、横方向に並んだ第２行目の文字列１０２の「Ｂ」の文字領域には通常の「黒」を意味する駆動信号を与え、該文字列１０２の「Ａ，Ｃ，Ｄ」の文字領域には例えば偶数フレームでは「黒」を意味する駆動信号を、奇数フレームでは「白」を意味する駆動信号を与えれば、該文字列１０２の文字「Ａ，Ｃ，Ｄ」のコントラストが低下するため横方向に並んだ第２行目の文字列１０２の文字「Ｂ」の領域のみを強調表示することが可能である。
【００４１】
また横方向に並んだ第１，３，４行目の文字列１００，１０４，１０６の文字「Ｂ」もフレーム階調技術でコントラストを低下させれば、横方向に並んだ第２行目の文字列１０２の文字「Ｂ」をさらに強調することが出来る。
【００４２】
【発明の効果】
以上説明したように本発明によれば、受動型液晶パネルにおいてＢＬの点灯あるいは消灯を制御することによって通常表示の時よりも高いコントラスト比で所望の領域を強調表示することが出来るという新たな表示状態を創り出したものであり、表示の多様性が拡がり表示装置の利用価値の向上が得られるという効果がある。
【図面の簡単な説明】
【図１】本発明による液晶装置のブロック図である。
【図２】本発明による同期信号を説明するタイミングチャートである。
【図３】受動型マトリックス液晶パネルの光透過率の状態変化を説明する図である。
【図４】受動型マトリックス液晶パネルの各走査電極に属する画素の光透過率の状態変化を説明する図である。
【図５】本発明による液晶装置の各走査電極に属する画素の漏れ光量の状態を説明する第１の図である。
【図６】本発明による液晶装置の各走査電極に属する画素の漏れ光量の状態を説明する第２の図である。
【図７】本発明により液晶表示画面が強調表示された例である。
【図８】本発明による同期信号作成回路の実施例回路図である。
【図９】本発明による同期信号作成回路の他の実施例回路図である。
【符号の説明】
５６  同期信号作成回路
６０  バックライト
【図１】
2004309937.tif 000003
【図２】
2004309937.tif 000004
【図３】
2004309937.tif 000005
【図４】
2004309937.tif 000006
【図５】
2004309937.tif 000007
【図６】
2004309937.tif 000008
【図７】
2004309937.tif 000009
【図８】
2004309937.tif 000010
【図９】
2004309937.tif 000011